(57)【要約】【課題】直流電源で点灯する光源を用い、電源と光源との配電を改良して施工性を向上させると共に、器具の交換や設置場所の変更等を容易に行うことができる照明装置を提供する。【解決手段】構造材３０に配設され、直流電源で点灯する光源１４を有し、直流電源を入力するための端子部１２ｆを有する光源パネル１２と；構造材に配設され、前記光源パネルの端子部と接続される端子部１３ｆを有する配電パネル１３と；を具備する照明装置１０を構成する。【選択図】        図１
2011113867.tif 000002
【特許請求の範囲】
【請求項１】
構造材に配設され、直流電源で点灯する光源を有し、直流電源を入力するための端子部を有する光源パネルと；
構造材に配設され、前記光源パネルの端子部と接続される端子部を有する配電パネルと；
を具備したことを特徴とする照明装置。
【請求項２】
前記光源を点灯する直流電源は、構造材に配設され、直流電源を出力する端子部を有する電源パネルで構成したことを特徴とする請求項１記載の照明装置。
【請求項３】
前記電源パネルと光源パネルは、隣接して配設されることを特徴とする請求項２記載の照明装置。
【請求項４】
前記電源パネル、光源パネルおよび配電パネルは、パネル本体の対角線上に対向する一対の角部に＋極の端子部を、残りの一対の角部に−極の端子部を有していることを特徴とする請求項２または３記載の照明装置。
【請求項５】
前記電源パネルは光源を制御する制御部を有し、前記光源パネルは前記制御部を中心としたスター型接続で接続され、前記制御部によって制御されるようにしたことを特徴とする請求項２ないし４いずれか一記載の照明装置。
【発明の詳細な説明】
【技術分野】
【０００１】
本発明は、天井や壁面等の構造材に配設される照明装置に関する。
【背景技術】
【０００２】
従来、この種、天井等に配設される照明装置としては、例えば、特許文献１（特に、段落番号［００１６］）には、ダクトおよび照明器具を構造材であるＴバーに載置して設置する天井ダクト設備複合システムの施工方法が示されている。また、近年、寿命が長くまた消費電力が少ない半導体発光素子である発光ダイオードを光源とした照明器具が、オフィス等の天井等に設置されるようになってきている。例えば、特許文献２には、天井や壁面などに施工される発光ダイオードを用いた照明装置が示され、段落番号［００２０］には、格子状に軸組みされた鉄骨部材によって囲われた所定の枠内に、市松模様となるようにＬＥＤ照明パネルと、周知の板材からなる天井パネルとを嵌め込む構造をなし、ＬＥＤ照明パネルと天井パネルが鉄骨部材に対して着脱可能とされ、ＬＥＤ照明パネルと天井パネルとの配置を変えることができるようになっている。
【先行技術文献】
【特許文献】
【０００３】
【特許文献１】特開平８−１４５４４５号公報
【特許文献２】特開２００８−２５７９０３号公報
【発明の概要】
【発明が解決しようとする課題】
【０００４】
一方、この種、天井等の構造材に設置される照明器具の施工においては、器具の設置工事と共に、電源と照明器具との配電が行われる。特許文献１および２には配電方法については開示されていないが、一般的には、例えば、特許文献１に示される照明器具における配電は、光源として用いられている蛍光灯［段落番号［００２１］と商用交流電源とを天井裏にＦケーブルを張りめぐらせて行っている。このため、オフィス等のレイアウト変更が行われ、照明器具の設置位置を変更しようとする場合には、蛍光灯を光源とした器具が比較的大型でもあり、また、配電も再度変更しなければならず、容易に器具の設置位置を変更することができない。
【０００５】
また、特許文献２においては、光源として発光ダイオードを用い、小型で軽量な照明器具を構成することが可能になるため、器具のレイアウトを変更することが可能である。しかし、この種、発光ダイオードを光源とする照明器具における配電は、商用交流電源を直流に変換する直流電源を照明器具に配設し、この直流電源と商用交流電源および照明器具同士が特許文献１と同様にＦケーブルを用いて配電が行われる。このため、天井裏に張りめぐらせたＦケーブルを再度変更しなければならず、特許文献２においても、簡単には器具の設置位置を変更することができない。これらのことから、天井等の構造材に配設される発光ダイオード等を光源とした照明器具においては、配電を簡素化し器具の交換や設置場所の変更等を容易に行うことができる照明装置を如何にして構成するかが重要な課題となっている。
【０００６】
本発明は、上記の課題に鑑みなされたもので、直流電源で点灯する光源を用い、電源と光源との配電を改良して施工性を向上させると共に、器具の交換や設置場所の変更等を容易に行うことができる照明装置を提供しようとするものである。
【課題を解決するための手段】
【０００７】
請求項１に記載の照明装置の発明は、構造材に配設され、直流電源で点灯する光源を有し、直流電源を入力するための端子部を有する光源パネルと；構造材に配設され、前記光源パネルの端子部と接続される端子部を有する配電パネルと；を具備したことを特徴とする。本発明によれば、構造材に配設され、直流電源で点灯する光源を有し、直流電源を入力するための端子部を有する光源パネルと、構造材に配設され、前記光源パネルの端子部と接続される端子部を有する配電パネルにより、直流電源と光源との配電を改良して施工性を向上させると共に、器具の交換や設置場所の変更等を容易に行うことが可能となる。
【０００８】
本発明において、照明装置は、天井等から全般照明を行うオフィス等、施設・業務用などの照明装置に適用されることが好適であるが、住宅用など一般照明用の小型の照明装置に適用されるものであってもよい。
【０００９】
構造材とは、例えば、システム天井に用いられるＴバーやＣチャンネル等の建物の構造物をいい、構造材には天井パネル、照明器具、空調設備等が取り付けられる。
【００１０】
天井パネルは、例えば、一辺の長さが約６００ｍｍ、または、６４０ｍｍ、厚さ約１５ｍｍの定尺寸法を有する正方形をなし、表面に装飾用の仕上材が施された平板状の石膏ボードで構成されることが好適であるが、これらの材質、寸法には限定されない。また、天井パネルは壁面に使用され、照明装置が壁面に設置されるものであってもよい。
【００１１】
本発明において、光源パネルおよび配電パネルは、例えば、天井パネルの寸法と同形状をなし、これらを構造材に取り付けることで天井面を構成してもよい。
【００１２】
直流電源は、商用交流電源を整流回路や整流素子等の手段によって直流に変換して直流電源を得るものが好適であるが、太陽電池等のバッテリーや充電可能なバッテリーで構成された直流電源であってもよい。直流電源は、天井パネルの定尺寸法と同形状をなす電源パネルで構成されることが好適であるが、ここでは、光源を有する光源パネルに組み込まれても、さらには、天井裏等に別置きに設置されるものであってもよい。
【００１３】
光源は、発光ダイオードで構成されることが好適であるが、半導体レーザ、有機ＥＬなどを発光源とした固体発光素子が許容される。光源は、白色で発光するように構成することが好ましいが、照明装置の用途に応じ、赤色、青色、緑色等でも、さらには各種の色を組み合わせて構成してもよい。
【００１４】
光源パネルは、例えば、合成樹脂やアルミニウム等の金属で構成された本体と平板状をなす基板からなり、基板に、発光ダイオード等からなる多数の光源をマトリックス状に実装して配置して構成しても、基板の中央部分に点または面光源をなすように、円形、四角形、六角形などの多角形状、さらには楕円形状等をなすように配置し、パネルの表裏両面が天井パネルと同形状の平板状をなすように構成してもよい。
【００１５】
しかし、例えば、パネルの裏面側には直流電源部を収納したケース部材を設けたり、ダウンライトのように反射板と組み合わせて構成し、パネルの裏面側には、これら部品が突出されて設けられたものであってもよい。また、表面側においても、天井パネルと同様に平板状をなしていることが好ましいが、反射板の一部や飾り枠、さらには、リモコンの受光部等が突出されたものであってもよい。また、パネルの外周形状が天井パネルの定尺寸法と同形状に構成され、天井パネルと入れ替えて構造材に配設されるように構成されることが好ましいが、ここでは、天井パネルと同形状にして入れ替えられることは必須の要件ではない。
【００１６】
配電パネルは、天井パネルと同様に平板状の石膏ボードや合成樹脂等の電気絶縁性を有するパネルで構成されることが許容される。
【００１７】
構造材は、天井パネルが設置される鉄やアルミニウムで形成されたＴバーで構成され、このＴバーの水平張出部に光源パネルや配電パネルを載置して配設されることが好適であるが、他の例えば、ＣチャンネルやＩ字形の梁やＬ字形のアングル等に配設されるものであってもよい。また、上述した電源パネル、光源パネルおよび配電パネルに加えて、温度検知、照度検知、各種のリモコン信号検知、さらには、火災検知機能を有するパネルを組み合わせて照明装置を構成してもよい。
【００１８】
請求項２に記載の発明は、請求項１記載の照明装置において、前記光源を点灯する直流電源は、構造材に配設され、直流電源を出力する端子部を有する電源パネルで構成したことを特徴とする。本発明によれば、光源を点灯する直流電源は、構造材に配設され、直流電源を出力する端子部を有する電源パネルで構成したので、直流電源の設置および交換や設置場所の変更も光源パネルや配電パネルと同様に容易に行うことが可能となる。
【００１９】
電源パネルは、天井パネルと同様に平板状の石膏ボードや合成樹脂等の電気絶縁性を有するパネルで構成され、パネル内部に直流電源部が収納されていることが好適であるが、光源、例えば、発光ダイオードの点灯装置は、直流電源部に設けてもよいし、光源パネル側に設けられるようにしてもよい。また、直流電源部には、点灯、消灯、切替、調光、調色等の機能をもたせる制御部を有するように構成してもよい。
【００２０】
請求項３に記載の発明は、請求項２記載の照明装置において、前記電源パネルと光源パネルは、隣接して配設されることを特徴とする。本発明によれば、電源パネルと光源パネルは、隣接して配設されるので、電源と光源の距離が短縮されることによって、ノイズの発生を防止することができると共に、直流低電圧配電における電圧降下を防止することが可能となる。
【００２１】
請求項４に記載の発明は、請求項２または３記載の照明装置において、前記電源パネル、光源パネルおよび配電パネルは、パネル本体の対角線上に対向する一対の角部に＋極の端子部を、残りの一対の角部に−極の端子部を有していることを特徴とする。本発明によれば、電源パネル、光源パネルおよび配電パネルは、パネル本体の対角線上に対向する一対の角部に＋極の端子部を、残りの一対の角部に−極の端子部を有しているので、各パネルにおける端子部間の沿面距離を長くすることができ、電気絶縁性の劣化によるトラッキングを防止することが可能となる。
【００２２】
請求項５に記載の発明は、請求項２ないし４いずれか一記載の照明装置において、前記電源パネルは光源を制御する制御部を有し、前記光源パネルは前記制御部を中心としたスター型接続で接続され、前記制御部によって制御されるようにしたことを特徴とする。本発明によれば、光源パネルは制御部を中心としたスター型接続で接続され、制御部によって制御されるようにしたので、光源パネルを容易に個別制御することができる。
【００２３】
上述した請求項１ないし５において、電源パネル、光源パネルおよび配電パネルは、本発明における必須の要件ではないが天井パネルの定尺寸歩と一致していることが望ましい。ここで、天井パネルの定尺寸法と一致しているとは、製造誤差等、設計上許容される範囲で略同形状をなしていればよい。また、電源パネル、光源パネルおよび配電パネルの表面側は、天井パネルの装飾用の仕上材で同様に仕上げられていることが外観意匠的にも好ましいが、必ずしも必要な要件ではない。
【００２４】
電源パネル、光源パネルおよび配電パネルの各端子部は、各パネルが構造材に配設されることによって、各パネル間の電気接続を行うもので、各パネルの対向する角部の両側面上部に、＋極と−極をなす端子部を形成して、パネルの４辺いずれの辺からも電気接続が可能になるように構成することが好ましいが、角部ではなく、例えば、パネルの４辺をなす外周部の長手方向に、＋極と−極をなす電路を形成して、パネルの４辺いずれの辺からも電気接続が可能になるように構成してもよい。さらに、隣接する２辺、または、対向する２辺に端子部を形成したものであってもよい。また、電源パネルは、光源パネルに直接接続されていても、または、配電パネルを介して接続されるようにしてもよい。光源パネルには、他の光源パネルへの送り端子を形成するようにしてもよい。また、光源パネルは、スター型接続によって制御されることが好ましいが、バス型接続によって制御されるものであってもよい。
【００２５】
なお、本発明において、天井パネル、電源パネル、光源パネルおよび配電パネルにおける「表面」とは、各パネルを天井に設置した際に、下方、すなわち、床面側に面する面を意味し、「裏面」は天井裏に面する面を意味している。
【発明の効果】
【００２６】
請求項１記載の発明によれば、構造材に配設され、直流電源で点灯する光源を有し、直流電源を入力するための端子部を有する光源パネルと、構造材に配設され、前記光源パネルの端子部と接続される端子部を有する配電パネルにより、直流電源と光源との配電を改良して施工性を向上させると共に、器具の交換や設置場所の変更等を容易に行うことが可能な照明装置を提供することができる。
【００２７】
請求項２記載の発明によれば、光源を点灯する直流電源は、構造材に配設され、直流電源を出力する端子部を有する電源パネルで構成したので、直流電源の設置および交換や設置場所の変更も光源パネルや配電パネルと同様に容易に行うことが可能な照明装置を提供することができる。
【００２８】
請求項３記載の発明によれば、電源パネルと光源パネルは、隣接して配設されるので、電源と光源の距離が短縮されることによって、ノイズの発生を防止することができると共に、直流低電圧配電における電圧降下を防止することが可能な照明装置を提供することができる。
【００２９】
請求項４記載の発明によれば、電源パネル、光源パネルおよび配電パネルは、パネル本体の対角線上に対向する一対の角部に＋極の端子部を、残りの一対の角部に−極の端子部を有しているので、各パネルにおける端子部間の沿面距離を長くすることができ、電気絶縁性の劣化によるトラッキングを防止することが可能な照明装置を提供することができる。
【００３０】
請求項５記載の発明によれば、光源パネルは制御部を中心としたスター型接続で接続され、制御部によって制御されるようにしたので、光源パネルを容易に個別制御することが可能な照明装置を提供することができる。
【図面の簡単な説明】
【００３１】
【図１】本発明の実施形態である照明装置を天井面に設置した状態を示す正面図。
【図２】同じく照明装置の電源パネルを示し、（ａ）は裏面側から見た斜視図、（ｂ）は配線状態を示す図。
【図３】同じく照明装置の端子部を示し、（ａ）は、隣接する電源パネルと配電パネルの接続状態を示す断面図、（ｂ）は電源パネルと配電パネルを、Ｔバーを介して接続した状態を示す断面図。
【図４】同じく照明装置の光源パネルを表面側から見た斜視図。
【図５】同じく照明装置の光源パネルを示し、（ａ）は裏面側から見た斜視図、（ｂ）は配線状態を示す図。
【図６】同じく照明装置の配電パネルを示し、（ａ）は裏面側から見た斜視図、（ｂ）は配線状態を示す図。
【図７】同じく照明装置を天井面に設置した状態を示す断面図。
【図８】同じく照明装置のレイアウトを変更して天井面に設置した状態を示す正面図。
【図９】同じく照明装置の第１の変形例において、照明装置を天井面に設置した状態を示す正面図。
【図１０】同じく照明装置の第２の変形例において、照明装置を天井面に設置した状態を示す正面図。
【図１１】同じく照明装置の変形例を示し、（ａ）は第３の変形例における電源パネルを示す斜視図、（ｂ）は第４の変形例における電源パネルを示す斜視図、（ｃ）は第４の変形例における電源パネルと配電パネルを接続した状態を、一部を切り欠いて示す側面図、（ｄ）は第５の変形例における電源パネル、光源パネルおよび配電パネルを接続した状態を、一部を切り欠いて示す裏面図。
【図１２】同じく照明装置の第６の変形例における電源パネルを裏面から見た斜視図。
【図１３】同じく照明装置の第７の変形例における光源パネルを示し、（ａ）は裏面から見た斜視図、（ｂ）は配線状態を示す図。
【図１４】同じく照明装置の第８の変形例における配電パネルを裏面から見た斜視図。
【図１５】同じく照明装置の第９の変形例における照明装置を示し、（ａ）は電源パネル、配電パネルおよび光源パネルの配電状態を説明するための図、（ｂ）は電源パネルにおける端子部を模式的に示す図、（ｃ）は配電パネルにおける配線状態および光源パネルが接続される状態を示す図。
【発明を実施するための形態】
【００３２】
以下、本発明の照明装置の実施形態について説明する。
【実施例１】
【００３３】
本実施例は、オフィスの天井に設置される照明装置を構成したもので、照明装置１０は、天井パネル２０の定尺寸法と同形状をなす電源パネル１１、天井パネルの定尺寸法と同形状をなし、直流電源で点灯する光源１４を有する光源パネル１２、光源パネルと同形状をなす配電パネル１３からなり、これら電源パネル１１、光源パネル１２および配電パネル１３は、天井パネル２０が設置されるＴバーからなる構造材３０に配設される。光源１４は固体発光素子、本実施では複数個の発光ダイオード（以下「ＬＥＤ」と称する）で構成する。各ＬＥＤ１４は白色で発光する。また、天井パネル２０は、一辺の長さが約６００ｍｍ、厚さ約１５ｍｍの定尺寸法を有する正方形をなし、表面に装飾用の仕上材が施された平板状の石膏ボードで構成される。
【００３４】
電源パネル１１は、図２に示すように、天井パネル２０の定尺寸法と略同形状で厚さ約４０ｍｍの合成樹脂製のパネル本体１１ａで構成され、システム天井構造材に配設されるように構成される。パネル本体１１ａは箱体１１ａ１と蓋体１１ａ２からなり、箱体１１ａ１の内部に直流電源部１１ｂが収納されている。直流電源部１１ｂは、１００Ｖの商用交流電源を整流して２４Ｖの低電圧の直流電圧を生成する整流部と、ＬＥＤ１４に定電流を供給する点灯装置と、調光制御等の制御信号を生成するマイクロコンピュータ等で構成された制御部からなる。これらを構成するための回路部品が回路基板に実装されることにより直流電源部１１ｂが構成され、箱体１１ａ１内に収納され蓋体１１ａ２で塞がれることにより電源パネル１１が構成される。なお、パネル本体１１ａの厚さ寸法は、後述する構造材であるＴバー３０の垂直方向高さ寸法より高い寸法に形成して、パネル本体１１ａ１の側面上部がＴバー３０の垂直部分の上方から突出するように構成する。また、電源パネル１１の表面側は、天井パネル２０の装飾用の仕上材で同様に仕上げられている。
【００３５】
また、制御部は、点灯、消灯、切替、調光、調色等の制御信号を出力して直流電源部１１ｂの出力を制御する。これら制御は、赤外線リモコンＲからの信号によって行われる。リモコンＲの受光部１１ｈは電源パネル１１の表面に設ける。また、調色は、例えば、昼光色→昼白色→電球色へ、または、その逆に、電球色→昼白色→昼光色へＬＥＤ１４の発光色を切り替えるように制御する。昼白色と電球色、昼光色と昼白色、昼光色と電球色を切り替えるものであってもよい。
【００３６】
電源パネル１１は、パネル本体１１ａにおける対向する角部の両側面上部に、＋極と−極からなる一対の端子部１１ｆを、水平方向に離間して形成する。端子部１１ｆは、直流電源を出力するための出力端子部を構成するもので、図３に示すように、導電性の良好な黄銅からなる鍔付きの端子ピン１１ｆ１と、端子ピンを外方に突出させる方向に付勢するスプリング１１ｆ２と、スプリングを支持する支持部１１ｆ３からなる。
【００３７】
そして、パネル本体１１ａ１の対向する角部の両側面上部に形成された支持孔１１ｆ４に端子ピン１１ｆ１の先端部を挿通させ、端子ピンの後端部（鍔の内面）と支持部１１ｆ３との間にスプリング１１ｆ２を挿通させることによって、端子ピン１１ｆ１がパネル本体１１ａの側面から常時外方に突出するように付勢されて構成される。なお、スプリング１１ｆ２および支持部１１ｆ３は導電性を有するステンレス等の金属で構成する。図３中、ｗは支持部１１ｆ３に接続されたリード線で、他端が直流電源部１１ｂの出力端子１１ｂ１に接続される。
【００３８】
上記に構成された端子部１１ｆは、図２（ｂ）に示すように、パネル本体１１ａにおける対向する角部の両側面上部に、＋極と−極でそれぞれ一対をなすようにして設けられ、各角部の＋極と−極は、リード線ｗによって直流電源部１１ｂの出力端子１１ｂ１にそれぞれ接続される。これによって端子部１１ｆが電源パネル１１における出力端子部を構成する。これにより、電源パネル１１の４辺いずれの辺からも、直流電源部１１ｂの出力が得られるように電気接続が可能になる。図２中、１１ｇはパネル本体１１ａの蓋体１１ａ２の上面に設けられた電源の入力端子台であり、入力端がＦケーブル等によって１００Ｖの商用交流電源Ｅに接続され、出力端が直流電源部１１ｂの入力端子１１ｂ２に接続される。
【００３９】
光源パネル１２は、図４、図５に示すように、正方形をなすパネル形の照明器具を構成したもので、天井パネル２０の定尺寸法と略同形状で、電源パネル１１と略同様の厚さ寸法を有し、システム天井構造材に配設されるように構成され、器具本体１２ａ、ＬＥＤ１４を配設した基板１２ｂ（図５（ａ））、ＬＥＤの光を反射させる反射体１２ｃで構成する。
【００４０】
器具本体１２ａは、白色のＰＢＴ（ポリブチレンテレフタレート）からなる合成樹脂で正方形の枠体を一体に構成し、この枠内にＬＥＤ１４を配設した基板１２ｂが嵌めこまれる大きさに構成する。基板１２ｂには、図４に示すように、多数のＬＥＤ１４がマトリックス状に実装されて配設され、各ＬＥＤ１４の周囲にピラミッド形の反射体１２ｃが位置するように配置する。そして、これら基板１２ｂおよび反射体１２ｃを器具本体１２ａの枠内に収容して正方形をなすパネル形の照明器具を構成する。
【００４１】
器具本体１２ａの対向する角部の両側面上部には、電源パネル１１と同様構成（図３と同様構成）の＋極と−極をなす一対の端子部１２ｆを形成して、電源パネル１１の直流電源を入力するための入力端子部を形成する。対向する角部の両側面上部にそれぞれ形成された＋極と−極は、図５（ｂ）に示すように、リード線ｗによってＬＥＤ１４の入力端子台１４ａにそれぞれ接続される。これによって、端子部１２ｆが光源パネル１２における入力端子部を構成する。これにより、光源パネル１２の４辺いずれの辺からも、電源パネル１１の直流電源部１１ｂからの入力が得られるように電気接続が可能になる。
【００４２】
配電パネル１３は、図６に示すように、光源パネル１２と同形状、換言すれば、光源パネルと同形状をなす天井パネル２０の定尺寸法と略同形状で、電源パネル１１や光源パネル１２と略同様の厚さ寸法を有する合成樹脂製のパネル本体１３ａで構成され、システム天井構造材に配設されるように構成される。パネル本体１３ａは箱体１３ａ１と蓋体１３ａ２からなる。なお、配電パネルの表面側は、天井パネル２０の装飾用の仕上材で同様に仕上げられている
パネル本体１３ａの対向する角部の両側面上部には、電源パネル１１および光源パネル１２と同様構成(図３と同様構成)の＋極と−極をなす一対の端子部１３ｆを形成し、電源パネル１１や光源パネル１２の端子部１１ｆ、１２ｆと接続するための電気接続部を構成する。
【００４３】
対向する角部の両側面上部にそれぞれ形成された＋極と−極は、図６（ｂ）に示すように＋極と−極の各端子部が同電位となるようにリード線ｗ１、ｗ２によって、パネル本体１３ａ内でそれぞれが接続される。これによって、端子部１３ｆが電源パネル１１や光源パネル１２の端子部１１ｆ、１２ｆと接続するための電気接続部を構成する。これにより、パネル本体１３ａの４辺いずれの辺からも電源パネル１１および光源パネル１２の各端子部１１ｆ、１２ｆと電気接続が可能になる。
【００４４】
上記のように、システム天井構造材に配設されるように構成された電源パネル１１、光源パネル１２および配電パネル１３は、天井パネル２０が設置される構造材に配設されて照明装置１０が構成される。先ず、天井部分の構成について説明する。図７に示すように、コンクリートスラブ３１の下方にロッド状の吊りボルト３２が設けられ、この吊りボルト３２に対してＣチャンネル３３が、天井裏空間の幅方向に沿って多数が水平に配設される。さらに、Ｃチャンネル３３の下方に直交して多数のＴバー３０が一定の間隔を有して平行に配設され、固定ハンガー（図示せず）によってＣチャンネル３３の下方に固定される。上記に構成されたＴバーは、本発明における構造材３０を構成するもので、垂直断面形状が逆Ｔ字形をなし、その下部の水平張出部３０ａ、３０ｂは全て同一平面をなし天井面Ｘ内に配置される。
【００４５】
上記に構成された天井構造材をなす２本のＴバー３０の間において、対向する水平張出部３０ａ、３０ｂの上に、上述した天井パネル２０、電源パネル１１、光源パネル１２および配電パネル１３が適宜選択されて載置され配設される。各パネルは、通常の施工で行われる天井パネル２０の設置方法と同様にして、２本のＴバー３０間の間隔に対して、パネルを傾かせながら挿入し、パネルの両側端部を、対向する水平張出部３０ａ、３０ｂの上に載置して配設する。
【００４６】
図１に示すものは、略正方形をなす天井面Ｘに対して、照明器具が等間隔に配置されるように、すなわち、各光源パネル１２は電源パネル１１を中心として対称に配設したものである。次に、その施工手順について図１、図７に従って説明する。
【００４７】
先ず、部屋の中心部となるＴバー３０に電源パネル１１を、受光部１１ｈが設けられた表面が下方になるようにして設置する。次に、電源パネル１１の４辺に、それぞれ配電パネル１３を１枚ずつ隣接させて設置する。この際、配電パネル１３は、その各端子部１３ｆと電源パネル１１の各端子部１１ｆが接触する向きで、かつ、仕上材が施された表面が下方になるようにして設置する。
【００４８】
次に、光源パネル１２を、各４枚の配電パネル１３の外周側に位置する辺に隣接させて設置する。この際、光源パネル１２は、その各端子部１２ｆが配電パネル１３の各端子部１３ｆが接触する向きで、かつ、ＬＥＤ１４の発光部が下方になるように配置して設置する。
【００４９】
これらの各パネルの設置作業は、通常の施工で行われる天井パネル２０の設置作業と同様に、各パネルを順番に２本のＴバー３０間の間隔に対して、傾かせながら挿入し、パネルの両側端部を対向する水平張出部３０ａ、３０ｂの上に載置する簡単な作業で行うことができる。しかも、各パネルのＴバー３０への設置作業と同時に、各パネルを電気的に接続する配電作業、すなわち、照明器具の施工も行うことができる。
【００５０】
これにより、電源パネル１１の端子部１１ｆが配電パネル１３の端子部１３ｆを介して光源パネル１２の端子部１２ｆに接続され、図１中、点線で示すように、電源パネル１１の端子部１１ｆ（出力端子）から光源パネル１２の端子部１２ｆ（入力端子）に直流電源が伝送される電路が形成される。
【００５１】
最後に、残りのスペースに天井パネル２０を、従来と同様の作業によって設置する。これにより、天井Ｘが構成されると共に、電源パネル１１、光源パネル１２および配電パネル１３からなる本発明の照明装置１０が構成される。なお、天井パネル２０を設置する前に、電源パネル１１の入力端子台１１ｇに商用交流電源Ｅに接続されたＦケーブルを接続する。
【００５２】
なお、図１中、各パネルの図１における縦方向の接続は、図３（ｂ）に示すように、Ｔバー３０の垂直部分を介して、それぞれの端子ピン１１ｆ１が接触して電路が形成され、また、横方向の接続は、図３（ａ）に示すように、Ｔバー３０の垂直部分を介さずに、直接それぞれの端子ピン１１ｆ１が接触して電路が形成される。この際、端子ピン１１ｆ１はスプリング１１ｆ２によって常時外方に突出するように付勢されているので、各パネル間の縦・横に形成される異なる隙間寸法に対しても十分に追随して、確実に接触させることができる。
【００５３】
上記に設置された電源パネルの受光部１１ｈに対して、リモコンＲを向けて点灯信号を発信すると、直流電源部１１ｂの制御部で１００％調光の制御信号が生成され、直流電源部１１ｂから全電力が出力される。この全電力の直流が配電パネル１３を介する電路を経由して光源パネル１２の各ＬＥＤ１４に供給されて１００％調光による全照明を行う。
【００５４】
また、直流電源部１１ｂの制御部は、上記と同様にして、消灯、切替、調光、調色の制御を行うので、リモコンＲより消灯信号を発信することによって全消灯を行う。また、昼間等で部屋の照度を落とす場合には、リモコンＲより、例えば、５０％調光の信号を発信して調光を行う。さらに、季節によって、例えば、冬季において暖かみのある照明をする場合には、リモコンＲから電球色の調色信号を発信して電球色により照明を行う。また、４枚の光源パネル１２の内、必要のない１枚から３枚の光源パネルを消灯したい場合には、リモコンＲから切替信号を発信して行う。
【００５５】
上記に設置された照明装置１０において、レイアウトを変更する場合には、次のように簡単な作業で行うことができる。図８に示すものは、部屋の中心部を、特に明るくするようにレイアウトを変更したものであり、先ず、図１における４枚の配電パネル１３をＴバー３０から取り外し、光源パネル１２を電源パネル１１の４辺に隣接させて設置し、電源パネル１１の端子部１１ｆと光源パネル１２の端子部１２ｆを直接接続する。最後に、空いたスペースに天井パネル２０を設置すれば、新たなレイアウトである部屋の中心部を明るくする照明装置１０が簡単に構成される。
【００５６】
本例によれば、電源パネル１１と光源パネル１２が直接接続され、電源と光源の距離が短縮されるので、直流低電圧配電における電圧降下を防止するこができる。しかも、これらの各パネルの変更作業は、通常の施工で行われる天井パネル２０の設置方法と同様に行うことができ、しかも、各パネルの変更作業と同時に、各パネルを電気的に接続する配電の変更作業も行うことができる。
【００５７】
また、照明器具の交換も上記と同様にして行うことができる。例えば、スポット的な照明に変更する場合には、設置されていた光源パネル１２をＴバー３０から取り外し、新たなダウンライト形の光源パネルを設置するだけで、器具の交換作業と新規な器具に対する配電作業、すなわち、新たな照明器具の施工が同時にできる。
【００５８】
また、照明器具の設置数を減少する場合には、設置されていた光源パネル１２を取り外し、空いたスペースに天井パネル２０を設置すればよい。器具を増設する場合も、上記とは逆に、設置されていた天井パネル２０を取り外し、代わりに光源パネル１２を設置すればよい。
【００５９】
以上、本実施例の照明装置１０によれば、直流電源部を有し、天井パネル２０の定尺寸法と同形状をなし端子部１１ｆを有する電源パネル１１と、天井パネル２０の定尺寸法と同形状をなし、直流電源で点灯するＬＥＤ１４を有し直流電源を入力するための端子部１２ｆを有する光源パネル１２と、光源パネル１２と同形状をなし光源パネル１２の端子部１２ｆ、または、電源パネル１１の端子部１１ｆと接続される端子部１３ｆを有する配電パネル１３を設け、天井パネル２０が設置されるＴバー３０に配設して照明装置１０を構成した。
【００６０】
これにより、各パネルは、システム天井構造材に配設されるように構成されるので、その設置作業は、通常の施工で行われる天井パネル２０の設置方法と同様に、各パネルを順番に２本のＴバー３０間の間隔に対して挿入し、載置する簡単な作業で行うことができる。しかも、各パネルのＴバー３０への設置作業と同時に、各パネルを電気的に接続する配電作業、すなわち、照明器具の施工も行うことができ、天井等における施工性が改善され、簡単かつ効率的な作業で行うことができ、省力化を実現することができる。これによって、従来のように、Ｆケーブルを天井裏に張りめぐらせる複雑で手間のかかる作業が不要となり、施工性に優れた照明装置を提供することができる。
【００６１】
また、器具の交換や設置場所の変更等も、通常行われる天井パネルの設置作業と同様に簡単に行うことができ、かつ、配電作業も同時に行うことができ、簡単かつ効率的な作業で行うことができ、省力化を実現することができる。
【００６２】
また、本実施例では、直流電源も天井パネル２０の定尺寸法と同形状をなし出力用の端子部１１ｆを有する電源パネル１１で構成したので、電源部の交換や設置場所の変更も光源パネル１２や配電パネル１３と同様に容易に行うことができ、施工箇所の状態に合わせた電源部の設置も行うことができ、一層施工性に優れた照明装置を提供することができる。
【００６３】
また、各パネルの電気的な接続は、端子ピン１１ｆ１がスプリング１１ｆ２によって常時外方に突出するように付勢されているので、各パネル間の縦・横に形成される異なる隙間寸法に対しても十分に追随することができ、通常の施工で行われる天井パネル２０の設置方法と同様に、順番に各パネルを２本のＴバー３０に載置する簡単な作業で、確実な電気接続を行うことができ、一層施工性に優れた照明装置を提供することができる。
【００６４】
また、電源パネル１１および配電パネル１３の表面側には、天井パネル２０と同様に仕上材が施されているので、天井Ｘの外観も損なうことがなく、外観意匠的にも優れた天井および照明器具を提供することができる。
【００６５】
また、各光源パネル１２は、制御部を有する電源パネル１１を中心として配設し、制御部によって制御されるようにしたので、照明器具の設置個数を変更する場合には、光源パネルの増減によって配電等を変更することなく、単に、光源パネル１２と天井パネル２０を入れ替える簡単な作業で行うことができ、光源パネルの増減を容易に行うことができる。
【００６６】
以上、本実施例において、直流電源を、光源パネル１２や配電パネル１３と同様に、システム天井構造材に配設されるように電源パネル１１として構成し、Ｔバー３０に配設されるように構成したが、直流電源部を別部材で構成し（例えば、図１０に点線で示す直流電源部１１ｂのように構成し）、天井裏等に別置きで設置するようにしてもよい。この場合、図１において、中央部に配電パネル１３を設置し、別置きの直流電源部の出力端子と配電パネル１３の端子部をリード線によって接続する配線を行い、別置きの直流電源から中央部の配電パネル、および配電パネルの４辺に接続された４枚の各配電パネルを介して４枚の光源パネル１２に電力を供給するように構成する。
【００６７】
また、図９に示すように、天井面Ｘに対し縦方向に各パネルを配置するようにしてもよい。この場合、電源パネル１１として左右および、図において上方の側辺に直流電源部の出力端子部を有するように構成し、また配電パネルとして上下の側辺に対して電路Ｌ１を有する配電パネル１３と、さらに左右の側辺に対して分岐電路Ｌ２を有する配電パネル１３´の２種類を構成する。さらに、光源パネル１２として、一側辺に入力端子部を有するように構成する。
【００６８】
そして、天井Ｘの一辺に電源パネル１１を配置し、この電源パネルの左右両側に対して、直接、光源パネル１２を設置し、さらに、電源パネル１１の上方の側辺から縦方向に配電パネル１３、１３´を交互に設置し、分岐電路Ｌ２を有する配電パネル１３´の左右両側に対して光源パネル１２を設置するようにしてもよい。また、図１０に示すように、電源パネル１１に替えて配電パネル１３´を設置し、直流電源部１１ｂを別置きに設置するようにしてもよい。
【００６９】
また、電源パネル１１、光源パネル１２および配電パネルの端子部１１ｆ、１２ｆ、１３ｆは、次にように構成してもよい。図１１（ａ）に示すように、パネル本体１１ａの対角線上に対向する一対の角部の両側辺にそれぞれ＋極の端子部１１ｆを、残りの一対の角部の両側辺にそれぞれ−極の端子部１１ｆを設ける。これにより、各パネルにおいて、＋極と−極の端子部間の沿面距離を長くすることができ、電気絶縁性の劣化によるトラッキングを防止することができ、安全な照明装置を提供することができる。なお、上記した＋極と−極をなす各端子部１１ｆは、図３と同様構成の端子部で構成される。
【００７０】
また、図１１（ｂ）に示すように、本体パネル１１ａに対向する一方の側面を上方に面する段部１１ａ３に、他方の側面を下方に面する段部１１ａ４に形成する。これら段部の角部となる面に、＋極と−極からなる端子部１１ｆをそれぞれ形成する。これによって、図１１（ｃ）に示すように、互いの段部１１ａ３および１１ａ４を嵌合させて、各端子部１１ｆ、１３ｆを接触させるようにする。これによれば、接触する端子部１１ｆ、１３ｆにパネルの重みが付加され、より確実に電気的な接続を行うことができる。
【００７１】
また、図１２に示すように、パネル本体１１ａの角部ではなく、パネルの４辺をなす外周部となる各側面に長手方向に、＋極と−極をなす端子部１１ｆを形成して、パネルの４辺いずれの辺からも電気接続が可能になるように構成してもよい。
【００７２】
なお、上記の図１１（ａ）（ｂ）（ｃ）、図１２に示す構成は、電源パネル１１を例に説明したが、他の光源パネル１２および配電パネル１３も同様に構成することができる。
【００７３】
また、図１１（ｄ）に示すように、Ｔバー３０に設置した状態で、４枚の各パネルの４隅を機械的に固定する固定板４０を設け、ねじ４１で締め付けて固定するようにしてもよい。これによれば、各端子部の接触による電気的接続部分が機械的に強固に支持されて、振動等によって電気的接続が不安定になることがなく、より一層確実に電気的な接続を行うことができる。
【００７４】
また、図１３に示すように、光源パネル１２は、端子部１２ｆが設けられていない角部に、隣接して設置される他の光源パネルに対する送り配線用の送り端子１２ｆ１を設けるようにして、光源パネル１２に配電機能をもたせるように構成してもよい。各送り端子１２ｆ１は、図３と同様の構成を有し、図１３（ｂ）に点線で示すように、リード線ｗ１、ｗ２によってパネル内で接続される。なお、送り端子１２ｆ１は、端子部１２ｆと混同しないように、端子の形状を異ならせたり、または表示部を設けるようにする。
【００７５】
さらに、図１４に示すように、配電パネル１３は、導電性を有する平板状の２枚の導電板１３ｂ、１３ｃを電気絶縁層（図示せず）で、それぞれを離間させ合成樹脂からなる電気絶縁層１３ｄ、１３ｅで上下を挟むようにして複数の層からなるパネル状に樹脂成形し、正方形の各辺から端子部が突出するように形成してもよい。これによれば、平板状の２枚の導電板１３ｂ、１３ｃによる平行平板による電路によって電力を送電することができ、電路の抵抗が少なくなって直流低電圧配電における電圧降下をより防止することができる。
【００７６】
また、電源パネル１１は光源を制御する制御部を有し、また光源パネル１２は、電源パネル１１の制御部を中心としたスター型接続で接続され、電源パネル１１の制御部によって制御されるように構成してもよい。
【００７７】
すなわち、図１５（ａ）（ｂ）に示すように、一つの電源パネル１１に対して、電力経路が多系統形成されるように、端子部１１ｆには一つの−極と、同電位でない、異なる電位を出力可能な＋極、例えば、Ｎｏ．１〜Ｎｏ．４の＋極を設け、これら４つの出力端子部（−極は共通とする）に対して、負荷である光源パネル１２をそれぞれ接続する。
【００７８】
また、図１５（ｃ）に示すように、これらの電源パネル１１と光源パネル１２の間に接続される配電パネル１４は、４つの出力系統の個々の系統に対して、さらに、多数の光源パネルを配置できるように、パネル本体１３ａの各４辺に、電源パネル１１の４つの出力端子部に対応するＮｏ．１〜Ｎｏ．４の＋極を設け（−極は共通とする）、これら電路は、同Ｎｏ．の＋極同士が同電位になり、異なるＮｏ．の＋極同士が絶縁されるようにパネル本体１３ａ内で配線される。
【００７９】
そして、電源パネル１１を中心にして、多数の配電パネル１３を介して、多数の光源パネルが配置される。このとき、光源パネル１２は、例えば、ディップスイッチ等の設定手段により、Ｎｏ．１に対応する端子部１２ｆのみ導通するようにしておけば、Ｎｏ．１の出力系統によって制御されるように設定することができる。これにより、各パネルを構造材に設置していくことで、Ｎｏ．１〜Ｎｏ．４の各出力系統が、それぞれ独立した一系統の状態で形成され、例えば、電源パネル１１のＮｏ．１の出力系統にぶら下がるように接続された全ての光源パネルは、Ｎｏ．１の出力信号、例えば、１４Ｖの電力信号で応答することになる。
【００８０】
これによって、一つの電源パネル１１によって複数の光源パネル１２を個別に、例えば、異なる電力で制御できるように、電源パネル１１は複数の系統出力をもたせ、配電パネル１３は接続するパスを多系統有すると共に、自在に切り替えられるように構成され、各光源パネルを個別に制御可能な、広範なスター型接続によって制御される。
【００８１】
さらに、一つの電源パネル１１によって複数の光源パネル１２を個別に制御できるように、光源パネルごとにＩＤコード（アドレス）をもたせ、直流の光源給電ライン上にアドレスコードを含む制御信号を重畳させることで、光源パネル１２を個別に制御可能にするバス型接続によって制御するようにしてもよい。この場合、光源パネル１２は、自己の個別アドレスを、点灯する光（可視光）にのせて信号として送信するようにしてもよい。
【００８２】
なお、変形例を示す図９〜図１５には、図１〜図８と同一部分に同一符号を付し、詳細な説明は省略した。以上、本発明の好適な実施形態を説明したが、本発明は上述の実施例に限定されることなく、本発明の要旨を逸脱しない範囲内において、種々の設計変更を行うことができる。
【符号の説明】
【００８３】
１０  照明装置
１１  電源パネル
１１ｆ  端子部
１２  光源パネル
１２ｆ  端子部
１３  配電パネル
１３ｆ  端子部
１４  光源
２０  天井パネル
３０  構造材
【図１】
2011113867.tif 000003
【図２】
2011113867.tif 000004
【図３】
2011113867.tif 000005
【図４】
2011113867.tif 000006
【図５】
2011113867.tif 000007
【図６】
2011113867.tif 000008
【図７】
2011113867.tif 000009
【図８】
2011113867.tif 000010
【図９】
2011113867.tif 000011
【図１０】
2011113867.tif 000012
【図１１】
2011113867.tif 000013
【図１２】
2011113867.tif 000014
【図１３】
2011113867.tif 000015
【図１４】
2011113867.tif 000016
【図１５】
2011113867.tif 000017